(57)【要約】      （修正有）【課題】ＦＭ放送番組及び音楽を録音／再生する機能を兼ね備え、更にデータ交換を提供する多機能電気スタンドを提供する。【解決手段】多機能電気スタンドは、台座体１０に照明モジュール２０、液晶ディプレイモジュール４０、拡声器５０及びその台座体内部にはＦＭレシーバーと制御回路６０を設置する。そのうち，制御回路は、該台座体に設置した複数の操作ボタン６１を備える他に、該台座体に少なくとも１つのＵＳＢ連接ポート６２、少なくとも１つのカードリーダー６３、少なくとも１つの音源信号入力孔６４、少なくとも１つの音源信号出力孔６５，及びそれらを整合するＵＳＢ−ＯＴＧ回路を備える。【選択図】図１
0003162256.tif 000002
【実用新案登録請求の範囲】
【請求項１】
多機能電気スタンドにおいて、
台座体と、
該台座体に設置する照明モジュールと、
該台座体内部に設置してＦＭ放送番組信号を受信するＦＭレシーバーと、
該台座体上に設置して電気スタンドの関連作動状態を表示する液晶ディプレイモジュールと、
該台座体内部に設置して、少なくとも一個のスピーカーを備える拡声器と、
該照明モジュール、該ＦＭレシーバー、該液晶ディプレイモジュール、及び該拡声器作動を設定、操作し、該台座体上に設置した複数の操作ボタンを備え、別に該台座体上に設置した少なくとも１つのUSB連接ポート、少なくとも１つのカードリーダー、少なくとも１つの音源信号入力孔、少なくとも１つの音源信号出力孔、及びそれらを整合するUSB-OTG回路を備えた制御回路を含むことを特徴とする多機能電気スタンド。
【請求項２】
前記台座体は、底台及び外フレームから構成されることを特徴とする請求項１記載の多機能電気スタンド。
【請求項３】
前記外フレームは、透光部を設置し、該照明モジュールは該外フレームの透光部内側に設置することを特徴とする請求項２記載の多機能電気スタンド。
【請求項４】
前記複数の操作ボタンは、タッチセンサー型のボタンで、該制御回路は、STMスキャン式電子処理回路を整合して関連制御信号を処理することを特徴とする請求項１記載の多機能電気スタンド。
【請求項５】
前記照明モジュールは、発光ダイオード照明モジュールであることを特徴とする請求項１記載の多機能電気スタンド。
【請求項６】
前記照明モジュールは、発光ダイオード照明モジュールであり、該制御回路はパルス幅変調(PWM)モジュールを通して該照明モジュール内の発光ダイオード輝度を調節することを特徴とする請求項１記載の多機能電気スタンド。
【請求項７】
前記制御回路は、エンコーダ/デコーダと一アンプを整合することを特徴とする請求項１記載の多機能電気スタンド。
【考案の詳細な説明】
【技術分野】
【０００１】
本考案は、新型の電気スタンドに関するもので、特にＦＭ放送番組及び音楽を録音/再生する機能を兼ね備え、更にデータ交換を提供する電気スタンド構造に係わる。
【背景技術】
【０００２】
電気スタンド(もしくはデスクランプとも言う)は、一般家庭やオフィスでよく見られる電気製品で、それは主に勉強机やオフィスのデスクに置いて照明として用い、読書や文書処理作業をしやすくする。そのため、電気スタンド本体は、必ず必要な照明機能の他に、安定した底台が必要で、その底台によってデスク上に安定して置くことができる。
【０００３】
そのうち、最もよく見かける手段は、底台の体積を大きくすることに依って安定度を高める。しかしながら、公知の電気スタンドは、電気スタンド全体、もしくは底台の内部空間に対して、有効に利用してはおらず、底台内部に重量物を入れているだけである。つまり、電気スタンドは相当な空間を占めるのにも関わらず、照明以外の付加機能や価値を備えていない。
【０００４】
公知の伝統的なデスクランプは、ただ単一の照明機能だけで、その他の現代的な付加機能が欠けている状況に於いて、多くの消費者は寧ろ電気スタンドを使用しなくなってきており、またデスク空間が有限なのに電気スタンドもしくはデスクランプによって空間を占領されることを望まなくなっており、これはデスクランプ業界にとって市場競争力で重大な影響を受ける事になる。
【考案の概要】
【考案が解決しようとする課題】
【０００５】
解決しようとする問題点は、照明機能しかないデスクランプでは有限的なデスク空間を有効に使えない点である。
【課題を解決するための手段】
【０００６】
本考案は、台座体に照明モジュール、液晶ディプレイモジュール、拡声器及びその台座体内部にはＦＭレシーバーと制御回路を設置する。そのうち，制御回路は、該台座体に設置した複数の操作ボタンを備える他に、該台座体に少なくとも一USB連接ポート、少なくとも一カードリーダー、少なくとも一音源信号入力孔、少なくとも一音源信号出力孔，及びそれらを整合するUSB-OTG回路を備えることで、ＦＭ放送番組及びその他の音楽の録音/再生機能を兼ね備え、且つデータ交換を提供する電気スタンド構造であることを最も主な特徴とする。
【考案の効果】
【０００７】
本考案の多機能電気スタンドは、ＦＭ放送番組及び音楽を録音/再生する機能を兼ね備え、更にデータ交換を提供するという利点がある。
【図面の簡単な説明】
【０００８】
【図１】本考案の電気スタンド外観立体図である。
【図２】本考案の電気スタンド外観立体図である。
【図３】本考案の制御回路構成アーキテクチャブロックダイアグラムである。
【図４】本考案の電気スタンド使用状態参考図である。
【図５】本考案の電気スタンドの別の使用状態参考図である。
【考案を実施するための形態】
【０００９】
ＦＭ放送番組及びその他の音楽の録音/再生機能を兼ね備え、且つデータ交換を提供する多機能電気スタンド構造を提供することを本考案の主な目的とする。
【００１０】
上述の目的のため、本考案の電気スタンドは、台座体に照明モジュール、液晶ディプレイモジュール、拡声器及びその台座体内部にＦＭレシーバーと制御回路を設置する。
【００１１】
そのうち，該制御回路は、使用者が該照明モジュール、該ＦＭレシーバー、該液晶ディプレイモジュール及び該拡声器を設定、操作するもので、複数の該台座体上に設置した操作ボタンを備える外に、該台座体上に、少なくとも１つのUSB連接ポート、少なくとも１つのカードリーダー、少なくとも１つの音源信号入力孔、少なくとも１つの音源信号出力孔、及びそれらを整合するUSB-OTG回路を備える。
【００１２】
電気スタンド全体は、照明機能を提供する他に、ＦＭ放送番組を聞いたり再生したりでき、更にUSB連接ポート、カードリーダーによって外製品(例として スマートフォンとデジタルカメラ等３C製品)とデータ交換する機能を提供し、またUSB-OTG装置もしくはメモリカードで予め録音した音楽を再生し、且つUSB連接ポート６２及びUSB伝送線で他の製品に対して充電したり、音源信号入力孔でその他装置の音響信号を再生したりする。特に音源信号出力孔を通して音響信号をその他装置に伝送して再生、もしくはイヤホーンで聞く。
【実施例】
【００１３】
図１及び図３に示すとおり、本考案の電気スタンドは、台座体１０、照明モジュール２０、ＦＭレシーバー３０、液晶ディプレイモジュール４０、拡声器５０及び制御回路６０を含む。そのうち、
【００１４】
該台座体１０は、電気スタンド全体に関連部品の機械構造体を設置する。それは底台１１及び外フレーム１２から構成されてデスクの構造型体に安定して固定され、更にその外フレーム１２箇所には透光部１２１を設置する。
【００１５】
該照明モジュール２０は、該台座体１０上に設置し、該外フレーム１２の透光部１２１内側に設置した発光ダイオード照明モジュールであり、主に電気スタンドの照明機能を提供し、その照明モジュール２０は図２に示すとおり、外向きに開く。
【００１６】
該ＦＭレシーバー３０は、該台座体１０内部に設置して(該台座体１０の外フレーム１２内部)ＦＭ放送番組信号を受信し、電気スタンドにＦＭ放送番組信号受信機能を提供する。
【００１７】
該液晶ディプレイモジュール４０は、該台座体１０に設置する(該台座体１０の外フレーム１２上)。それは主にＦＭ放送番組チャンネル、時間、音響信号ソース、ライト輝度調整指示及び音量調整指示等電気スタンドの関連作動状態を表示するのに用いる。
【００１８】
該拡声器５０は、該台座体１０内部に設置し(該台座体１０の外フレーム１２内部)、少なくとも一スピーカー単体を備え、主に電気スタンドの音声出力、再生機能に用いる。該台座体１０は、外フレーム１２の該拡声器５０に対応する位置に音声出力孔１２２を設置する。
【００１９】
該制御回路６０は、使用者が該照明モジュール２０、該ＦＭレシーバー３０、該液晶ディプレイモジュール４０及び該拡声器５０を設定、操作するために用いられ、それは該台座体１０上に相対して設置された複数の操作ボタン６１の他に、該台座体上には少なくとも一USB連接ポート６２、少なくとも一カードリーダー６３、少なくとも一音源信号入力孔６４、少なくとも一音源信号出力孔６５及びそれらを整合するUSB-OTG回路６６を備える。
【００２０】
具体的に実施する時、該複数の操作ボタン６１は、タッチセンサー型のボタンで、該制御回路６０はSTMスキャン式電子処理回路６７を整合して関連控制信号を処理し、及びパルス幅変調(PWM)モジュールで該照明モジュール２０内の発光ダイオード輝度の調節に用いる。更に該制御回路６０はエンコーダ/デコーダ６８とアンプ６９を整合して音響信号転換及び大きい音の出力効率を得る。
【００２１】
本考案の電気スタンドは、照明機能を提供する外に、更にＦＭ放送番組を聞き、音楽再生する。更に図４に示すとおり、USB連接ポート６２及びUSB伝送線７１とUSB-OTG装置(図省略)を連結するか、もしくは、カードリーダー６３を直接メモリカードと連結することによって(図省略)、外製品(例として: スマートフォンとデジタルカメラ等３C製品)とデータ交換する機能を提供し、更にはUSB-OTG装置もしくはメモリカードに予め録音した音楽を再生し、且つUSB連接ポート６２及びUSB伝送線７１で外製品に充電を行う。
【００２２】
更に図５に示すとおり、音源信号入力孔６４及び音響信号伝送線７２を通してその他の例として携帯電話もしくはMP３、MP４等の音響信号再生機能を備えたその他装置と連結することに依り、その他装置からの音響信号を再生する。更に音源信号出力孔６５から音響信号をその他装置に伝送して再生，もしくはイヤホーンで聞く。更には制御回路の整合に依って音響信号を転換録音する。
【００２３】
本考案の電気スタンドは、基本に備わる照明機能の他に、更にＦＭ放送番組及びその他予め録音した音楽の再生機能を備え、機能が強化された音楽再生、プラットホームの録音且つデータ交換ができ、更にUSB連接ポート及びUSB伝送線によって外の製品に対して充電を行う。また電気スタンドに現代らしさと機能性を与えたことにより、更に現代生活の中に溶け込み、電気スタンドの市場競争力を大幅に高める。
【００２４】
上述のとおり、本考案は実行可能な電気スタンド構造であり、法に基づき実用新案登録を申請する。本考案の技術内容及び技術特徴は既に上述のとおりであるが、当領域に習熟した者が本考案の提示に基づき本考案の精神から乖離しない入替、修飾を行うかもしれない。そのため、本考案の保護範囲は実施例に制限されず、各種の本考案から乖離しない入替及び修飾を含み、以下の請求範囲に含まれるものとする。
【符号の説明】
【００２５】
１０        台座体
１１        底台
１２        外フレーム
１２１      透光部
１２２      音声出力孔
２０        照明モジュール
３０        ＦＭレシーバー
４０        液晶ディプレイモジュール
５０        拡声器
６０        制御回路
６１        操作ボタン
６２        USB連接ポート
６３        カードリーダー
６４        音源信号入力孔
６５        音源信号出力孔
６６        USB-OTG回路
６７        STMスキャン式電子処理回路
６８        エンコーダ/デコーダ
６９        アンプ
７１        USB伝送線
７２        音響信号伝送線
【図１】
0003162256.tif 000003
【図２】
0003162256.tif 000004
【図３】
0003162256.tif 000005
【図４】
0003162256.tif 000006
【図５】
0003162256.tif 000007